(57)【要約】【課題】特に夏場においても、頻繁な散水を行う必要がなく、維持管理が容易で、かつ、水の浪費を防ぐ、芝生の保護工法を提供する。【解決手段】芝生保護材、特に芝生保護ブロック、を用いる芝生の保護工法において、芝生保護材を設置する基盤土壌中あるいは芝を生育させる客土中に、２５〜４０℃の感温点を有する感温性吸排水樹脂、特に感温点の異なるものをブレンドしたもの、を、０．５〜５ｇ／Ｌ（土壌）の割合で分散混合させる。【選択図】　　なし【特許請求の範囲】
【請求項１】
芝生保護材を用いる芝生の保護工法において、芝生保護材を設置する基盤土壌中及び／又は芝を生育させる客土中に、２５〜４０℃の感温点を有する感温性吸排水樹脂を０．５〜５ｇ／Ｌ（土壌）の割合で分散混合させることを特徴とする、芝生の保護工法。
【請求項２】
感温性吸排水樹脂が、芝生保護材を設置する基盤土壌中に分散混合させたものである、請求項１記載の芝生の保護工法。
【請求項３】
芝生保護材が芝生保護ブロックである、請求項１乃至２記載の芝生の保護工法。
【発明の詳細な説明】
【０００１】
【発明が属する技術分野】
本発明は、河川敷、オートキャンプ場、駐車場などの場所において、靴や車両等による荷重から芝生を保護する、芝生の保護工法に関する。
【０００２】
【従来の技術】
ヒートアイランドの防止、景観向上等を目的として、駐車場等の面を芝生で覆う試みは古くから検討されてきた。近年、コンクリート、セラミックス、金属、プラスチック等の強度を有する材料で荷重を支える支持部を形成させる芝生保護材を用いた工法が各種開発されている（例えば、特開平５−１７９０５号公報、同７−１５０５０５号公報、同９−３２７２２８号公報、同１０−１５０８６１号公報、特開２０００−２２８９１８号公報、等）。
中でも、特に施行の容易さから芝生保護ブロックを用いる工法が主流となってきている。
【０００３】
芝生保護材を使用すると、直接芝生面に荷重がかからないために、芝生の育成は健全に保たれるが、繰り返し荷重を受ける部分では、芝生保護材が基盤に沈み基盤を固結させ透水性、通気性を悪化させ、あるいは芝生の生長点を保護することができず、芝生が枯れてしまうことがあった。
そこで、かかる欠点を解消するため、下記のような報告がある。
【０００４】
【特許文献１】
特開平１０−１５０８６１号公報、内部に連続する空隙を形成しこの空隙に保水材を充填した緑化コンクリート上に、表面から裏面に貫通する貫通部を複数形成した芝生保護ブロックを設置する。芝生保護ブロックが土中に沈まないので土の透水性、通気性が維持される。
【特許文献２】
特開２００２−９５３６４号公報、内部に連続する空隙を形成しこの空隙に保水材を充填した緑化コンクリート上に、表面から裏面に貫通する通水孔を有する芝生保護ブロックを設置する。芝生保護ブロックが土中に沈まないので土の透水性、通気性が維持される。
【０００５】
一方、荷重を支える支持部あるいは芝生保護材、特に芝生保護ブロック、に用いられる材料は、太陽光を吸収して高温になりやすく、かつ、その熱容量が大きいために長時間高温を維持する傾向にあるため、芝生を傷め、しばしば枯死に至らしめるという問題がある。
このため、芝自体は比較的耐乾性の植物であるにもかかわらず、特に夏場には、頻繁に散水して温度を下げる必要がある。しかしながら、駐車場等では簡易な自動灌水装置であるスプリンクラー等を使用できず、一方、人手で大面積に散水することは容易ではない。
【０００６】
【発明が解決しようとする課題】
従って本発明は、頻繁な散水を行う必要がなく、維持管理が容易で、かつ、水の浪費を防ぐ、芝生の保護工法を提供することを課題とする。
【０００７】
【課題を解決するための手段】
本発明者等は、かかる課題を解決すべく検討の結果、芝生保護材を設置する土壌中に、昇温した場合には保持していた水を排出する機能を有する感温性吸排水樹脂を分散混合しておくことによって課題を解決できることを見いだし、本発明に到達した。
すなわち本発明は、
（１）芝生保護材を用いる芝生の保護工法において、芝生保護材を設置する基盤土壌中及び／又は芝を生育させる客土中に、２５〜４０℃の感温点を有する感温性吸排水樹脂を０．５〜５ｇ／Ｌ（土壌）の割合で分散混合させることを特徴とする、芝生の保護工法、
（２）感温性吸排水樹脂が、芝生保護材を設置する基盤土壌中に分散混合させたものである、上記（１）記載の芝生の保護工法、
（３）芝生保護材が芝生保護ブロックである、上記（１）乃至（２）記載の芝生の保護工法、
を提供するものである。
【０００８】
【発明の実施の態様】
以下、本発明を詳細に説明する。
本発明のいう、芝生保護材とは、芝生の葉が伸長可能で、荷重を支持し荷重が直接土に作用しないためのものをいい、従来公知の物が使用できるが、施行の容易さから芝生保護ブロックが好ましい。
芝生保護材は、材質としては、コスト、強度の面からコンクリート類が好ましく、荷重の大きさに合わせた適当な強度、形状とすることができる。
【０００９】
本発明で用いられる感温性吸排水樹脂とは、特定の設定温度（以下、感温点という。）以下では水を吸収・保持し、感温点を超える温度になると保持していた水を外部に排出する樹脂をいい、Ｎ−イソプロピル（メタ）アクリルアミド、Ｎ−ｎ−プロピル（メタ）アクリルアミド、Ｎ，Ｎ−ジエチルアクリルアミド、アクリロイルピペリジン、アクリロイルピロリジン等のＮ−アルキル置換アクリルアミドモノマーを主成分とし、これに架橋性の多官能モノマーを加えて重合することによって得られるポリマーを挙げることができる。
また、感温点のコントロール、吸水倍率の向上等、必要に応じて他のビニルモノマーを共重合することもでき、共重合可能なビニルモノマーとしては、（メタ）アクリル酸及びその塩、（メタ）アクリルアミド、ダイアセトンアクリルアミド等を例示することができる。
【００１０】
本発明に用いられる感温性吸排水樹脂の感温点は、夏場の雨水の温度と植物の生育適性温度を考慮し、２５℃以上４０℃以下のものである必要がある。更に、その温度範囲の感温点の異なるものをブレンドすることにより、地層温度の上昇に伴い水を除法するのでより好ましい。
このような感温点の温度範囲を持つ感温性吸排水樹脂としては、具体的には、特開平７−２２４１１９号公報、同８−１０００１０号公報記載の、Ｎ−イソプロピルアクリルアミドを主原料モノマとし、重合架橋したポリマーが特に好ましい。
【００１１】
感温性吸排水樹脂は、芝生保護材を設置する基盤土壌中及び／又は芝を生育させる客土中に分散混合される。
添加量としては、水を吸収して膨潤した場合に土壌の空隙部を満たす程度の量が好ましく、０．５〜５ｇ／Ｌ（土壌）、好ましくは１〜３ｇ／Ｌ（土壌）である。これを超えて混合すると、吸水時に土層全体がふくれあがり好ましくない。感温性吸排水樹脂を混合する土壌は、地中温度が変動する範囲から２０ｃｍ程度が好ましく、特に、芝生保護材を設置する基盤土壌中が好ましい。
【００１２】
感温性吸排水樹脂は、特に芝生保護材の基盤中あるいは芝を生育させる客土に混合分散しておくと、雨水あるいは灌水された水を保持し、系の温度が上昇し感温点を超えた時点で水を排出する。排出された水は、土の毛細管を通じて上昇し、芝生保護材の支持部で蒸発する。この時、蒸発潜熱を奪うので支持部の昇温が抑制される。また、土層自体が湿った状態を維持するので、芝自体への水供給も十分になり、良好な生育が達成される。
【００１３】
【実施例】
以下実施例を挙げて、本発明を詳細に説明する。
実施例１
５月、路床上に砂を約１５ｃｍの厚さで敷き、感温性吸排水樹脂（興人製、サーモゲル）を砂容量に対して２ｇ／Ｌの割合で表面にまき、耕耘機で砂と混合した。対照区には、感温性吸排水樹脂を添加することなく、砂だけを用いた。
この上に芝生保護ブロック（ヤマウ製、グラセード）を敷き、芝生保護ブロックの客土部に客土を入れ、トールフェスクを播積（播芝）した。
施行後、芝が活着するまで十分に散水し、芝生を造成した。
約１ケ月で芝生は完成し、その後、駐車場として利用した。
７月以降、３日に一度の散水で生育状態を観察した。
８月上旬より、対照区では枯れが観察され、８月末には全体の７〜８割が枯死した。
一方、感温性吸排水樹脂添加区は、８月末においても枯死はごく一部に限られ、全体の２〜３割であった。
【００１４】
【発明の効果】
以上説明してきたように、本発明によると、特に夏場においても、頻繁な散水を行う必要がなく、維持管理が容易で、かつ、水の浪費を防ぐ、芝生の保護工法が提供される。